(57)【特許請求の範囲】
【請求項１】
上向きに点検筒、横向きに流入用開口部、他の横向きに流出用開口部、下向きに深底の有底円筒状部を、それぞれ形成した小口径化の塩ビ製エルボ型トラップ付溜め桝において、
前記有底円筒状部の上端部に前記流出用開口部を挟んで１対の上下スライド溝を設けると共に、
前記有底円筒状部に、該有底円筒状部と略同形状で、かつ、その底部に複数の水抜き孔を有するバケットを、上方から挿入自在に略接合するよう収容し、該バケットの流出用開口部側にトラップ用エルボを一体的に立設し、該エルボを前記スライド溝に沿ってしか挿入できないようにして該バケットを有底円筒状部に強固に固定し、
しかも、これらの水抜き孔を該有底円筒状体へのバケット挿入時のみ開くように、薄肉可撓板を該バケットの底部に設けて挿入時の排水抵抗を下げ、深底でありながら、該バケットの下方スライド挿入を容易にして該挿入作業に専念できるようにしたことを特徴とする塩ビ製エルボ型トラップ付溜め桝。
【発明の詳細な説明】
【０００１】
【発明の属する技術分野】
本発明は、排水設備における塩ビ製エルボ型トラップ付溜め桝に関するものである。
【０００２】
【従来の技術】
一般に、桝と呼ばれる排水設備には、汚水桝と雨水桝とがあって、このうち、雨水桝は路面や宅地や空き地等に降った雨水を集水・収容したり、雨水管の点検・掃除をしたりするための設備であって、底部に１５ｃｍ以上の深さの泥溜め部を必要とし、この泥溜め部に土砂や落葉等を貯め、これらが下流の下水本管へ流れ込まないようにしている。
【０００３】
ところで、従来の雨水桝の大半は、コンクリ−ト製であるので、低廉性やコンパクト性や、塩ビ製雨水管との接続性等により、合成樹脂製雨水桝の出現が要請されている。
【０００４】
そのため、例えば、点検筒用受口と、流出・入の雨水管用差口とをもったバケツ状のポリプロピレン製雨水桝が一部実施されており、また、このポリプロピレン製雨水桝を改善しようとした提案もなされている。
【０００５】
本出願人も、上向きに、有蓋で、かつ、切管可能の点検筒を接着接合する点検筒用受口を、横向きに、塩ビ製雨水管を接着接合する雨水管用受口を、それぞれ一体的に射出成形した小口径汚水桝タイプの雨水桝にあって、該雨水桝本体の下向きに、本体内で開口した可及的大径の接続筒を一体的に延設し、該接続筒に有底泥溜め部を着脱自在に接続すると共に、該有底泥溜め部内に土砂捕捉用バケットを取出可能に収容した塩ビ製小口径雨水桝を提案した（特開平８−８６００７号公報参照）。
【０００６】
そして、このバケットには、常時立設している取手を付設すると共に、バケットの開口部フランジの外周を、前記接続筒の桝本体側開口部に設けた縮径リングの内周に嵌合させている。
【０００７】
したがって、かかる提案の塩ビ製小口径雨水桝では、捕捉された土砂の清掃は、単にバケットを取出せばよいので、その取出し・清掃作業がきわめて容易となる。
【０００８】
一方、排水設備には、防臭や油脂遮断や沈砂等の機能を果たす付帯設備が設けられている。防臭装置の代表例はトラップ桝であるが、このトラップ桝は、周知のごとくＵトラップ付の塩ビ製排水桝と、泥溜めをもつコンクリ−ト製排水桝の流出口にエルボまたはチ−ズを設けてトラップを形成した溜め桝（以下、これをエルボ型トラップ付溜め桝と称する）と、大別される。
【０００９】
このエルボ型トラップ付溜め桝は例えば、食堂や生鮮食料品取扱所等で、残渣物等の固形物が排水に混入して下水本管に支障を来す箇所や、一般の宅内排水設備でも台所と接続した排水管に設置される。
【００１０】
また、エルボ型トラップ付溜め桝には、次のような設置規準が制定されている。すなわち、トラップは桝の流出側に設けて固定すること、トラップは内径７５ｍｍφ以上で封水深さは７５ｍｍ〜１００ｍｍとし、臭気の逆流がないこと、桝の深さは、トラップの下端より少なくとも１５０ｍｍあることが望ましい、等の設置規準が制定されている。
【００１１】
ところで、かかる規準に合致し、かつ、塩ビ化したエルボ型トラップ付溜め桝について各種の提案がなされている。
【００１２】
本出願人も、かかるエルボ型トラップ付溜め桝を提案（特願平８−７８３４０号）し、実施している。
【００１３】
図１は本発明の実施例を示すが、これを借りて、このエルボ型トラップ付溜め桝１を説明する。
【００１４】
桝本体２には、上向きに点検筒用受口３、一方の横向きに流入口用受口４、他方の横向きに流出口用受口５、下向きに深底で、かつ、下方を若干絞った有底円筒状体６がそれぞれ一体的に射出成形されている。この流入口用受口４は流出口用受口５と平面視同一管軸上にあって、この受口５より、若干の水位差（例えば、２０ｍｍ）をもって上方に開口され、また、この有底円筒状体６には、略同形状にして可及的大容量化した有孔有底円筒状のバケット７が上方から取出し可能に載置され、収容されている。
【００１５】
このトラップ付溜め桝１には、流出口用受口５にエルボ８が接続され、トラップを形成している。このエルボ８の下方開口部２７はバケット７内に臨んでいる。したがって、このエルボ型トラップ付溜め桝１を小口径化している。
【００１６】
このようなエルボ型トラップ付溜め桝１を、例えば宅内排水設備の付帯設備として用いると、流入口４ａから固形物の混入した排水が流れ込み、流出口５ａから流出するが、この固形物（例えば、土砂、落葉、野菜屑または残査物等の夾雑物をいう）は、バケット７内で沈降して堆積し、この固形物を除いた排水が下水本管方へ流出する。
【００１７】
そのとき、流出先の下水本管等から臭気が流出口５ａへ逆流してくるが、この臭気はエルボ８により封水されるので、流入口４ａへは勿論、桝本体２内へも漏洩することがない。そして、バケット７に堆積した固形物は、エルボ８と同時に取出して掃除する。
【００１８】
ここにおいて、このエルボ型トラップ付溜め桝１では、特に、泥溜め量を可及的に大にしながら小口径化しようとし、更に、桝本体２やバケット７やエルボ８等の掃除を容易にしようとして、バケット７とエルボ８とを着脱自在に一体化して同時に取出し可能とする構造にしている。
【００１９】
【発明が解決しようとする課題】
以上のような塩ビ製の雨水桝や、エルボ型トラップ付溜め桝１に用いるバケット７の底部１２には、複数の水抜き孔１３を設けているため、掃除時にバケット７を取出すとき、これらの水抜き孔１３より土砂等の微細な塵芥が排水の流下と共に落下し、バケット７における折角の土砂等の溜め機能を果たさなくなる、という問題があった。
【００２０】
そのため、バケットの底部に設けた水抜き孔を止めることも考えられるが、水抜き孔のないバケットであれば、バケットを再び桝に装着しようとすると、桝の有底泥溜め部や有底円筒状体には排水が溜まっていることが多く、しかも、桝本体とバケットとは寸法精度の高い、ガッチリと組込まれた射出成形品であることから、バケットの挿入が困難になるので、この考えは採用できない。
【００２１】
そこで本発明は、かかる問題を解決することを主たる目的とすると共に、安価で、かつ、既存の桝にも適用可能にすることを副たる目的とするものである。
【００２２】
【課題を解決するための手段】
そのため、本発明の要旨とするところは、上向きに点検筒、横向きに流入用開口部、他の横向きに流出用開口部、下向きに深底の有底円筒状部を、それぞれ形成した小口径化の塩ビ製エルボ型トラップ付溜め桝において、前記有底円筒状部の上端部に前記流出用開口部を挟んで１対の上下スライド溝を設けると共に、前記有底円筒状部に、該有底円筒状部と略同形状で、かつ、その底部に複数の水抜き孔を有するバケットを、上方から挿入自在に略接合するよう収容し、該バケットの流出用開口部側にトラップ用エルボを一体的に立設し、該エルボを前記スライド溝に沿ってしか挿入できないようにして該バケットを有底円筒状部に強固に固定し、しかも、これらの水抜き孔を該有底円筒状体へのバケット挿入時のみ開くように、薄肉可撓板を該バケットの底部に設けて挿入時の排水抵抗を下げ、深底でありながら、該バケットの下方スライド挿入を容易にして該挿入作業に専念できるようにしたことを特徴とする塩ビ製エルボ型トラップ付溜め桝にある。
【００２３】
【発明の実施の形態】
本発明を、添付図面に示す実施例により詳細に述べる。
図１は本発明の実施例のエルボ型トラップ付溜め桝の縦断面図、図２は図１のＡ矢視断面図、図３は図１のＢ〜Ｂ矢視断面図、図４は図１の要部図、図５は図１の他の要部図、図６は図５の平面図、図７は図５のＣ矢視要部側面図、図８は図１の更に他の要部図、図９は図５の他の実施例の要部図である。
【００２４】
このエルボ型トラップ付溜め桝１を「桝本体２」、「バケット７」、「エルボ８」、および、「パッキン３４」に分けて述べる。なお、この溜め桝１の全体の概説は、前記従来技術の項で説明したものと同じに付き省略する。
【００２５】
先ず、「桝本体２」について述べる。主として図４、図２および図３において、桝本体２は塩ビ射出成形品であって、点検筒用受口３は次のようにして形成される。
【００２６】
すなわち、接続する宅内排水管が７５ｍｍφ〜２００ｍｍφ、例えば、９０ｍｍφの場合で、バケット７の開口径が約１５０ｍｍφの場合であれば、エルボ８がバケット７と一体化しているため、点検筒用受口３の口径を約２００ｍｍφに形成している。したがって、点検筒用受口３の口径をバケット７の開口径より拡径（例えば、バケット開口径３対受口口径４）して蓋枠（不図示）により縮径された状態でも出入れ容易にしている。
【００２７】
また、バケット７の開口部は流出口５ａの管底と略一致させている。そのため、流入口４ａとバケット７との間に段差４ｂが形成され、固形物が溜るおそれがある反面、桝本体２の射出成形を容易にすることができる。
【００２８】
また、桝本体２の有底円筒状体６の全体形状は、深底のバケット７の形状に略合せて形成している。そして、流出口５ａの近傍から有底円筒状体６の上端部にかけ、しかも、流出口５ａを挟んで１対の上下スライドＬ字溝１０，１０を形成している。
【００２９】
そのため、流出口５ａの近傍および有底円筒状体６の胴曲面は、図３および図４に示すように、半径を異にする曲面Ａ，Ｂで形成しており、この曲面Ａの半径は曲面Ｂのものより大とし、しかも、曲面Ａは有底円筒状体６の胴曲面の３分の２以上を占るようにしている。その結果、有底円筒状体６の容積を可及的に大にして貯水量を確保し、一時的に流入する大量の排水に対応させている。
【００３０】
前記の１対の上下スライドＬ字溝１０，１０と、これらの上下スライドＬ字溝１０の下端を結ぶ嵌合Ｕ字溝１１とを形成することにより、後記のように、収容されるバケット７を正確に位置決めすると共に、このバケット７を桝本体２に強固に固定し、ひいては、エルボ８を流出口５ａに正確に位置決めすると共に、強固に固定することができる。
【００３１】
次に、「バケット７」について述べる。主として図５、図６、図７および図２において、バケット７は塩ビ射出成形品であって、堆積量を可及的に大にするため、深底型を採用している。例えば、その開口径が略１５０ｍｍ、底部径が約１４０ｍｍであれば、深さを略２４０ｍｍとしている。
【００３２】
このバケット７の底部１２には複数の水抜き孔１３，１３…を設け、排水を流下させると共に、バケット取出しの際の水切りにしている。
【００３３】
このバケット７の胴部１４は流出、入口５ａ，４ａの管軸に直交する側を扁平面１５に形成し、桝本体２の有底円筒状体６との間に若干大きい空間を形成して貯水量を確保すると共に、常時立設されている取手１６を桝本体２から出入するとき干渉しないようにしている。
【００３４】
しかも、バケット７の開口端には後記のフランジ１９が延設され、有底円筒状体６の内面に接合されているので、固形物が有底円筒状体６へ直接流入することはない。つまり、加工精度はきわめて高いものに構成している。
【００３５】
また、この胴部１４はバケット７が収容された状態で、流入口４ａ側を半径大の曲面１７で形成し、流出口５ａ側をこれより半径小の曲面１８で形成して、前記の有底円筒状体６の曲面に合せている。したがって、バケット７が有底円筒状体６内で遊嵌状態に略接合されているが、妄動することはない。
【００３６】
また、バケット７の開口部外周には、１つの半径で形成したフランジ１９が延設され、このフランジ１９の流出口５ａ側は、後記のエルボ用ブラケット２１が立設される箇所およびその近傍２０を切欠いでいる。
【００３７】
このバケット７の開口部の流出口５ａ側には、弯曲板状のエルボ用ブラケット２１が一体的に立設されている。このエルボ用ブラケット２１の外面には前記のフランジ１９のツバ巾と同じ高さの縁取り隆起部２２が設けられ、有底円筒状体６への固形物の流入を防いでいる。
【００３８】
このエルボ用ブラケット２１における流出口５ａと対向する箇所には、エルボ挿入孔２３が開口され、このエルボ挿入孔２３の外周でかつ外面には、リング状隆起部２４が設けられている。
【００３９】
このリング状隆起部２４は、前記の縁取り隆起部２２の高さより低くして、後記のエルボ８のエルボフランジ３０の裏面が当接しても、桝本体２へ突出してその内面と干渉しないようにしている。そして、このリング状隆起部２４の同心外周には、前記の縁取り隆起部２２と同じ高さで、かつ、一部重複したパッキン嵌合用隆起部２５が設けられている。
【００４０】
このエルボ用ブラケット２１の左右端および下端における縁取り隆起部２２（パッキン嵌合用隆起部２５の一部と重複している）には、前記の桝本体２に設けた上下スライドＬ字溝１０および嵌合Ｕ字溝１１に差込まれる差込み片２６，２６，２６を形成している。
【００４１】
ここおいて、このバケット７の底部１２は、上方にゆるやかに弯曲した面で形成され、この底部１２の周辺に等間隔で８個の、中心に１個の水抜き孔１３，１３…をそれぞれ設けているが、この底部１２上に、前記弯曲面と同形状の軟質の薄肉可撓板５０を添設して水切り装置を構成している。
【００４２】
すなわち、この薄肉可撓板５０は厚さ約２ｍｍで、底部１２の内径より小径の合成ゴム製で構成し、その下面に、前記水抜き孔１３の１つ、特にエルボ８直下の水抜き孔１３に圧入してピボットとするポッチ５１を一体に突設している。
【００４３】
したがって、排水や塵芥の溜まったバケット７を、取手１６を把持して上方に取出す場合には、薄肉可撓板５０が底部１２の上面に同形状に弯曲しているためぴったりと密着して、水抜き孔１３を閉塞するので、バケット７から水漏れは勿論、微細な土砂塵芥等の落下もない。
【００４４】
殊に、バケット７にはエルボ８がガッチリと一体化されており、このエルボ８は、１対の上下スライドＬ字溝１０に沿って取出され、しかも、点検筒を介してこじれることなく取出されるので、バケット７の取出し作業に専念することができ、水漏れや砂漏れを配慮する必要がない。
【００４５】
また、掃除したバケット７を深底の有底円筒状体６に装着するため、上方から、その挿入時には、有底円筒状体６に、しばしば排水が大量に溜まっており、かつ、有底円筒状部と略同形状で略接合するバケット７であるので、この排水が抵抗して深底のバケット７を挿入することが困難となるが、この排水が水抜き孔１３からバケット７内に噴出しようとして軟質の薄肉可撓板５０が、ポッチ５１のピボットを中心に上方にｐ矢印方向に弯曲する（２点鎖線）ので、水抜き孔１３が開き、排水の抵抗を下げ、バケット７の挿入を容易にする。
【００４６】
殊に、バケット７にはエルボ８がガッチリと一体化されており、このエルボ８は、１対の上下スライドＬ字溝１０に沿ってしか挿入できなく、しかも、点検筒を介してこじれることなく挿入するので、バケット７の挿入作業に専念することができ、排水の抵抗を考慮する必要がない。
【００４７】
また、ポッチ５１付の薄肉可撓板（単なるゴムシ−トで、いわゆるリ−フ型逆止弁を構成している。）５０であるので、きわめて、安価となり、既存の水抜き孔付バケット７にも直ちに用いることができる。
【００４８】
次に、「エルボ８」について述べる。主として図８（Ａ），（Ｂ）および図３において、エルボ８はポリエチレンまたは同系樹脂、例えば塩ビ射出成形品であって、その下方開口部２７は通常の管体で構成し、その上方開口部２８は、管底を同一にした偏心状拡径部２９で構成している。この偏心状拡径部２９の開口端にエルボフランジ３０を形成し、このエルボフランジ３０によりエルボ８をエルボ用ブラケット２１に装着したときの抜止めにしている。
【００４９】
すなわち、このエルボフランジ３０の裏面が、前記のようにエルボ用ブラケット２１のリング状隆起部２４に当接し、このエルボフランジ３０と係止部３１とで対向して、リング状隆起部２４を把持するようにしている。そのため、この係止部３１は偏心状拡径部２９の奥部外面に、パッキン嵌合用隆起部２５より低く形成している。
【００５０】
したがって、このエルボ８を、垂直状態にしたエルボ用ブラケット２１のエルボ挿入孔２３に挿入して取付けるには、先ず、エルボ８の下方開口部２７の管軸を水平状にして挿入し、これを除々に垂直状にしながら挿入して行く。次いで、エルボ８の上方開口部２８の管軸が、例えば図１中、左上方に若干傾いている間に、偏心状の係止部３１を斜めにすればエルボ挿入孔２３を乗り越えることができる。次いで、上方開口部２８の管軸を水平状にすれば、係止部３１とエルボフランジ３０とで対向して、リング状隆起部２４を保持することができ、エルボ８の抜け止めにすることができる。
【００５１】
そして、エルボ８の下方開口部２７をエルボ用ブラケット２１に可及的に近接させるため、次のように構成している。
【００５２】
すなわち、図８（Ｂ）（図８（Ａ）のＤ〜矢視断面図）に示すようにエルボ８の弯曲外面３２を通常のエルボ円弧で構成し、弯曲内面３３を可及的に短絡化するため、管軸を通る縦断面（図８（Ａ）参照）における直交面３３ａ，３３ｂで構成している。しかも、弯曲外面３２は通常の管径Ｒ１を採用しているが、弯曲内面３３は楕円で構成し、エルボ８の内面を円滑化している。なお、Ｒ２は楕円曲面の曲率半径を示す。このようにしても、下方開口部２７から排水が上昇するので、流れに支障はない。
【００５３】
次に、「パッキン３４」について述べる。図３において、このパッキン３４は合成ゴム製であって、Ｕパッキン状に形成し、しかも、内径側のＵ端部に厚肉部３５を形成している。すなわち、異形Ｕパッキンを使用している。
【００５４】
このパッキン３４は、前記のエルボ用ブラケット２１のパッキン嵌合用隆起部２５とリング状隆起部２４との間に装着され、しかも、エルボフランジ３０の裏面で厚肉部３５を保持している。したがって、このパッキン３４はエルボ用ブラケット２１と桝本体２との間をシ−ルし、ひいては、流出口５ａとエルボ８とをシ−ルして臭気の漏洩を防いでいる。つまり、防臭機能を向上させている。勿論、パッキン３４を用いない場合は、ごみ取りや油脂遮断に適用できる。
【００５５】
次に、前記バケット７の底部１２に取付けた薄肉可撓板５０は、次のように構成してもよい。
【００５６】
すなわち、図９（Ａ）においては、軟質の薄肉可撓板５０ａは、その中央部にポッチ５１ａを突設してピボットにしており、この外周部が矢印ｐ方向に２点鎖線のように弯曲するようにしている。
【００５７】
また、図９（Ｂ）においては、軟質の薄肉可撓板５０ｂにおけるポッチ５１ｂは、足のあるポッチとし、その足が水抜き孔１３を矢印ｐのように上下方向に摺動して開閉するようにしている。そして、不図示であるが、この薄肉可撓板５０ｂを硬質にして取手１６と連結し、その上下摺動を取手１６により行ってもよい。
【００５８】
なお、前記ポッチ５１，５１ａ，５１ｂを止め、その位置で薄肉可撓板５０，５０ａ，５０ｂを底部１２に接着剤で固着してもよい。
【００５９】
【発明の効果】
本発明によれば、塩ビ製のエルボ型トラップ付溜め桝におけるバケットの複数の水抜き孔を、バケットを上方から挿入する時のみ開き、バケットの上方へ取出す時には閉塞するようにしたので、バケットの上方取出時に貯溜した土砂等が落下せず、ひいては、有底円筒状部と略同形状で略接合するバケットの下方スライドによる挿入作業を容易にすることができる。
【図面の簡単な説明】
【図１】  本発明の実施例のエルボ型トラップ付溜め桝の縦断面図である。
【図２】  図１のＡ矢視断面図である。
【図３】  図１のＢ〜Ｂ矢視断面図である。
【図４】  図１の要部図である。
【図５】  図１の他の要部図である。
【図６】  図５の平面図である。
【図７】  図５のＣ矢視要部側面図である。
【図８】  図１の更に他の要部図である。
【図９】  図５の他の実施例の要部図である。
【符号の説明】
１…エルボ型トラップ付溜め桝、７…バケット、１２…底部、１３…水抜き孔、５０…薄肉可撓板
【図１】
0003909425.tif 000002
【図２】
0003909425.tif 000003
【図３】
0003909425.tif 000004
【図４】
0003909425.tif 000005
【図５】
0003909425.tif 000006
【図６】
0003909425.tif 000007
【図７】
0003909425.tif 000008
【図８】
0003909425.tif 000009
【図９】
0003909425.tif 000010